(57)【要約】【課題】  一つの装身具でありながら様々に異なった外観形状を自由にデザインすることができるような装身具を提供することである。【解決手段】  装身具本体２と、装飾体３と、これら装身具本体２及び装飾体３を回転可能に連結する連結具４とを備え、この連結具４が前記装身具本体２及び装飾体３にそれぞれ取り付けられる一対の円筒体５ａ，５ｂと、この円筒体５ａ，５ｂを互いに回転可能に連結する連結手段６とを備え、一対の円筒体５ａ，５ｂは、相対的に回転させたときに所定の位置を保持する位置規制部７を備え、前記連結手段６は、前記一対の円筒体５ａ，５ｂ内に挿通される軸部材８と、この軸部材８に巻装され一方の円筒体５ａと他方の円筒体５ｂとの間に弾性的に掛け渡されるコイルバネ９とを備える。【選択図】      図２
2009039329.tif 000002
【特許請求の範囲】
【請求項１】
第１の部材と、第２の部材と、前記第１の部材及び第２の部材を回転可能に連結する連結具とを備え、
前記連結具が前記第１の部材及び第２の部材にそれぞれ取り付けられる一対の筒体と、
前記一対の筒体を互いに回転可能に連結する連結手段とを備え、
前記一対の筒体は、相対的に回転させたときに所定の位置を保持する位置規制部を備え、
前記連結手段は、前記一対の筒体内に挿通される軸部材と、この軸部材に巻装され一方の筒体と他方の筒体との間に弾性的に掛け渡されるコイルバネとを備えることを特徴とする装身具。
【請求項２】
前記位置規制部は、前記一対の筒体の相対面するそれぞれの端面に形成されている請求項１に記載の装身具。
【請求項３】
前記位置規制部は、前記一対の筒体の相対面するそれぞれの端面に波形状に形成された連続する凹凸面からなる請求項１に記載の装身具。
【請求項４】
前記第１の部材は装身具本体であり、第２の部材は装飾体である請求項１に記載の装身具。
【請求項５】
前記一対の筒体内に挿通される軸部材の一端が一方の筒体側に固定され、この軸部材に巻装されたコイルバネが他方の筒体側に設けられたストッパと軸部材の他端との間に配設されている請求項１に記載の装身具。
【請求項６】
前記連結具を複数備え、これら連結具のうちの少なくとも１つが他の連結具と高さが異なる請求項１に記載の装身具。
【請求項７】
前記連結部を４つ備え、これら４つの連結具が対角線上に設けられ、一方の対角線上にある一対の連結具と他方の対角線上にある一対の連結具の高さが異なり、一方の対角線上にある一対の連結具に取り付けられた装飾体と、他方の対角線上にある一対の連結具に取り付けられた装飾体とが部分的に重なる請求項６に記載の装身具。
【発明の詳細な説明】
【技術分野】
【０００１】
本発明は、第１の部材と第２の部材とが回転可能に連結された装身具に関する。
【背景技術】
【０００２】
従来から装身具の一部を回転可能に設けて外観に変化を持たせるようにした装身具が知られている（例えば特許文献１参照）。特許文献１に示された装身具は、中空の円筒形状の指輪やブレスレットの外周面に少なくとも２つの装飾リングを回転可能に設け、この装飾リングに種々の模様を施しておき、装飾リングを別々に回転できるようにすることで、様々な外観模様が表われるようにして装飾的価値を高めたものである。
【０００３】
しかしながら、上述した従来の装身具にあっては、指輪やブレスレットの外周面に設けた装飾リングを回転させるだけなので、複数の装飾リングの回転位置をずらせたとしても外観上の変化は限られたものとなっていた。
【特許文献１】特開２００２−３１５６１３
【発明の開示】
【発明が解決しようとする課題】
【０００４】
そこで、本発明が解決しようとする課題は、一つの装身具でありながら様々に異なった外観形状を自由にデザインすることができるような装身具を提供することである。
【課題を解決するための手段】
【０００５】
かかる目的を達成するために、本発明に係る装身具は、第１の部材と、第２の部材と、前記第１の部材及び第２の部材を回転可能に連結する連結具とを備え、前記連結具が前記第１の部材及び第２の部材にそれぞれ取り付けられる一対の筒体と、前記一対の筒体を互いに回転可能に連結する連結手段とを備え、前記一対の筒体は、相対的に回転させたときに所定の位置を保持する位置規制部を備え、前記連結手段は、前記一対の筒体内に挿通される軸部材と、この軸部材に巻装され一方の筒体と他方の筒体との間に弾性的に掛け渡されるコイルバネとを備えることを特徴とする。
【０００６】
また、上記の位置規制部は、一例として、一対の筒体の相対面するそれぞれの端面に波形状に形成された連続する凹凸面からなる。
【０００７】
また、上記の連結手段は、一例として、一対の筒体内に挿通される軸部材の一端が一方の筒体側に固定され、この軸部材に巻装されたコイルバネが他方の筒体側に設けられたストッパと軸部材の他端との間に配設されている。
【発明の効果】
【０００８】
本発明の装身具は、第１の部材と第２の部材とに両者を回転可能に連結する連結具を設けたことで、様々に異なった外観形状を自由にデザインすることができ、装飾的効果が大きいものである。
【発明を実施するための最良の形態】
【０００９】
以下、添付図面に基づいて、本発明に係る装身具の実施形態を詳細に説明する。図１乃至図３には本発明に係る装身具の連結具が示されている。装身具１は、第１の部材である装身具本体２と、第２の部材である装飾体３と、これらを回転可能に連結する筒状の連結具４とを備える。この連結具４は、前記装身具本体２及び装飾体３にそれぞれ取り付けられる一対の円筒体５ａ，５ｂと、両方の円筒体５ａ，５ｂを互いに回転可能に連結する連結手段６とを備える。
【００１０】
前記一対の円筒体５ａ，５ｂは、同じ外形形状からなる筒体で構成され、両者を相対的に回転させたときに所定の位置を保持する位置規制部７を備える。この位置規制部は、前記一対の円筒体の相対面するそれぞれの端面に形成された波形状の連続する凹凸面７ａ，７ｂからなり、円筒体５ａ，５ｂは凹面と凸面が互い違いとなって組みつけられている。それ故、円筒体５ａ，５ｂを相対的に回転させた時には、互いの凹凸面７ａ，７ｂを乗り越えながら回転していき、一つの凹凸面７ａ，７ｂを乗り越える毎にその回転位置が保持されることになる。凹凸面７ａ，７ｂの数は自由に選択することができ、凹凸面７ａ，７ｂの数を多く設けることで規制される回転位置を細かく設定することができる。
【００１１】
前記連結手段６は、前記一対の円筒体５ａ，５ｂ内に挿通される軸部材８と、この軸部材８に巻装され、上部円筒体５ａと下部円筒体５ｂとの間に弾性的に掛け渡されるコイルバネ９とで構成される。特に。この実施形態では図２及び図３に示すように、前記軸部材８の上端が上部円筒体５ｂの上部にカラー１０を介して固定されている。また、この軸部材８に巻装されたコイルバネ９が軸部材８の下端に設けられたベース部材１１と下部円筒体５ａの上部内周に固定されたカラー１２との間に配設されている。このコイルバネ９は、常時は図２に示したように、軸部材８を下方向に押し下げる方向に作用し、それによって一対の円筒体５ａ，５ｂを一体に連結すると共にその連結された状態を保持する一方、図３に示したように、円筒体５ａ，５ｂを回転させる場合には圧縮することで円筒体５ａ，５ｂ間の凹凸面７ａ，７ｂの結合を緩めて円筒体５ａ，５ｂの回転を可能とする。
【００１２】
図４乃至図７は、上記構成からなる連結具４を利用したネックレス１５の一例を示す。このネックレス１５は、首の回りを飾る真珠環１６と、この真珠環１６に連結環１７を介して吊り下げられる下げ飾り１８とからなる。下げ飾り１８は、四角形状の貴金属製のフレーム１９と、このフレーム１９の四隅に配置された前記構成からなる４つの連結具４ａ，４ｂ，４ｃ，４ｄと、各連結具４ａ，４ｂ，４ｃ，４ｄにそれぞれ回転可能に取り付けられた４つの装飾体３ａ，３ｂ，３ｃ，３ｄとで構成される。これらの装飾体３ａ，３ｂ，３ｃ，３ｄはハート形に形成された貴金属製の薄板の表面にダイヤモンドなどの宝石２０を配列したもので、全てが同一形状である。この実施形態において、前記４つの連結具４ａ，４ｂ，４ｃ，４ｄは、図５に示すように、左右に配置された一対の連結具４ｂ，４ｄに対して、上下に配置された一対の連結具４ａ，４ｃの方が背が高く設定されている。こうすることで、連結具４ａ，４ｃに連結される装飾体３ａ，３ｃと連結具４ｂ，４ｄに連結される装飾体３ｂ，３ｄとの高さ位置をずらせている。そのために、図４及び図５に示したように、装飾体３ａ，３ｃと装飾体３ｂ、３ｄとの先端同士が重なるように設定しても、装飾体３ａ，３ｃと装飾体３ｂ、３ｄとが衝突することがなく、さながら四葉のクローバがデザインされているような外観形状となって、ネックレス１５としての装飾効果を上げることができる。
【００１３】
図６及び図７は、前記のネックレス１５において、装飾体を回転させて外観に変化をもたせたものである。図６は図４における外観形状から２つの装飾体３ｂ，３ｄを９０度回転させ、１つの装飾体３ｃを１８０度回転させることによって、４つの装飾体３ａ，３ｂ，３ｃ，３ｄの全てをハート形が下向きとなる外観形状とした例を示し、図７は図４における外観形状から４つの装飾体３ａ，３ｂ，３ｃ，３ｄを１８０度回転させることによって、４つの装飾体３ａ，３ｂ，３ｃ，３ｄの全てをハート形が外向きとなる外観形状とした例を示している。このように、各装飾体３ａ，３ｂ，３ｃ，３ｄを様々な角度に回転させることができると共に所望の回転位置でその姿勢を保持することができるので、装飾的バリエーションが広がって装飾的効果が高まる。
【００１４】
図８は前記連結具４を利用したネックレス２１の異なる実施例を示したものである。このネックレス２１は、前記と同様の真珠環１６に連結環１７を介して下げ飾り２２が設けられる。この下げ飾り２２は、大小二枚の貴金属板２３，２４と、各貴金属板２３，２４の各下端にチェーン２５，２６を介して下げられたハート形の大小２つの装飾体３ｅ，３ｆとで構成され、二枚の貴金属板２３，２４の上端部が連結具４によって連結された構造である。下側の大きな貴金属板２３の方に連結具４の下部円筒体５ａをロウ付けし、上側の小さな貴金属板２４の方に連結具４の上部円筒体５ｂをロウ付けすることで、互いの貴金属板２３，２４が前後方向に開閉し、図８に示したように、所望の開閉位置を保持することができる。
【００１５】
なお、上記連結具４を利用した装身具は、上記で説明した図４〜図８の実施形態に限られないことは勿論である。
【産業上の利用可能性】
【００１６】
上述したように、上記構成からなる連結具の利用範囲は広く、連結具を様々な装身具の中でどのように使うかは自由であり、その使い方によって、装身具の外観形状を自由にデザインすることができ、装身具のデザイン上のバリエーションが飛躍的に拡大するものである。
【図面の簡単な説明】
【００１７】
【図１】本発明に係る装身具の連結具を示す斜視図である。
【図２】前記図１におけるＡ−Ａ線断面図である。
【図３】連結具の回転時における図１のＡ−Ａ線断面相当図である。
【図４】本発明の連結具を利用した装身具の一実施例を示す斜視図である。
【図５】前記図４におけるＢ方向からの矢示図である。
【図６】前記図４で示した装身具において、装飾体を回転させた場合を示す斜視図である。
【図７】前記図４で示した装身具において、装飾体を別の位置に回転させた場合を示す斜視図である。
【図８】本発明の連結具を利用した装身具の他の実施例を示す斜視図である。
【符号の説明】
【００１８】
１  装身具
２  装身具本体
３  装飾体
４  連結具
５ａ，５ｂ  円筒体
６  連結手段
７  位置規制部
７ａ，７ｂ  凹凸面
８  軸部材
９  コイルバネ
１０  カラー
１１  ベース部材
１２  カラー
１５，２１  ネックレス
１６  真珠環
１７  連結環
１８，２２  下げ飾り
１９  フレーム
２０  宝石
２３，２４  貴金属板
２５，２６  チェーン
【図１】
2009039329.tif 000003
【図２】
2009039329.tif 000004
【図３】
2009039329.tif 000005
【図４】
2009039329.tif 000006
【図５】
2009039329.tif 000007
【図６】
2009039329.tif 000008
【図７】
2009039329.tif 000009
【図８】
2009039329.tif 000010